(57)【要約】【課題】座席の近傍の床面に空調の吹出口を設ける空調方式において、居住域高さにおける温度差を低減するとともに、着座した観客が不快に感じることがないようにする。【解決手段】各座席４５の下方の床面に空調空気の吹出口２を設け、吹出口２の上方に位置する座席４５の背面板４７の下端近傍に向かって空調空気を吹出す。吹出口２から吹出された空調空気は、コアンダ効果により、背面板４７の裏面に沿った領域５０を上昇することとなり、観客の下肢に直接空調空気があたらず、また、居住域高さ上方まで空調空気が到達することとなる。【選択図】図４
2010019526.tif 000002
【特許請求の範囲】
【請求項１】
背もたれを有する座席が設置された空間の空調システムであって、
前記座席の下方の床面に吹出口が設けられ、
当該吹出口は、
前記座席の後方側の部分から、略鉛直上方又は後方へ斜め上方に向かって空調空気を吹き出すとともに、
前記座席の前方側の部分から、後方へ斜め上方に向かって、前記座席の横方向に広がるように空調空気を吹出すように形成されていることを特徴とする空調システム。
【請求項２】
請求項１記載の空調システムであって、
前記吹出口は、
前記座席の後方側の部分の少なくとも一部から、略鉛直上方又は後方へ斜め上方に向かって、前記座席の横方向に広がるように空調空気を吹出すように形成されていることを特徴とする空調システム。
【請求項３】
背もたれを有する座席が設置された空間の空調方法であって、
前記座席の下方の床面に吹出口を設け、
当該吹出口の前記座席の後方側の部分から、略鉛直上方又は後方へ斜め上方に向かって空調空気を吹き出すとともに、
当該吹出口の前記座席の前方側の部分から、後方へ斜め上方に向かって、前記座席の横方向に広がるように空調空気を吹出すことを特徴とする空調方法。
【請求項４】
背もたれを有する座席の下方の床面に設けられた空調空気の吹出口に取り付けられる吹出口部材であって、
筒状に形成された枠体と、
前記枠体内に前記座席の後方に向かって傾斜するように設けられた複数のルーバと、を備え、
前記複数のルーバの間を通過する前記空調空気が前記背もたれの下部近傍に向かって吹き出すように形成されていることを特徴とする吹出口部材。
【請求項５】
請求項４記載の吹出口部材であって、
前記吹出口は、前記背もたれの略下方の床面に設けられ、
前記枠体内は、前記座席の前方側の部分に形成された開口からなる前方吹出口と、前記座席の後方側の部分に形成された後方吹出口とに分割され、
前記複数のルーバは、
前記前方吹出口内に後方に向かって斜め上方に傾斜するように設置された前方ルーバと、
前記後方吹出口内に略鉛直方向又は後方に向かって斜め上方に傾斜するように設置された後方ルーバと、からなることを特徴とする吹出口部材。
【請求項６】
請求項５記載の吹出口部材であって、
前記前方の吹出口は、前記座席の横方向の略中心軸上に設けられた枠材により一対の吹出口に分割されており、
前記前方のルーバは、前記一対の吹出口内に、後方に向かって斜め上方に傾斜するとともに、前記中心軸より離間する方向に傾斜するように夫々設けられていることを特徴とする吹出口部材。
【請求項７】
請求項５又は６記載の吹出口部材であって、
前記後方のルーバの間に、前記座席の横方向の略中心軸上から離間する方向に向かって斜め上方に傾斜するガイドベーンを備えることを特徴とする吹出口部材。
【発明の詳細な説明】
【技術分野】
【０００１】
本発明は、例えば、ホールや集会場などの複数の座席が設置される空間における、床面の段差の有無にかかわらず、さらに、段差がある場合には、その段差の高さにかかわらず利用可能な空調システム、空調方法、及びこの空調方法において床面に設けられた空調の吹出口に取り付けられる吹出口部材に関する。
【背景技術】
【０００２】
近年、ホールや集会場などの床に段差がある複数の座席が設置される空間における空調方式として、各座席の近傍の床面などに空調空気の吹出口を設ける方法が用いられている（例えば、特許文献１段落［００３９］等参照）。一方、床に段差がない複数の座席が設置される空間の空調方式では、例えば、特許文献２に記載されているようなオフィスなどで用いられている吹出口を各座席の床面などに設置している。
【特許文献１】特開２００４―２３２９７２号公報
【特許文献２】登録実用新案第２５４２２５７号公報
【発明の開示】
【発明が解決しようとする課題】
【０００３】
このような複数の座席が設置される空間における空調方法において、床面に吹出口を設けることで、座席に着座した観客の下肢に空調空気が当たり、観客が不快に感じることがあった。
また、座席スペースが狭く、前後の座席間に吹出口を設ける余裕がない場合に、座席の下方に吹出口を設けると、居住域の上方まで空調空気が到達せず、居住域の上下の温度差が大きくなるという問題があった。
【０００４】
本発明は、上記の問題に鑑みなされたものであり、その目的は、座席の床面に段差がある場合にもない場合にも利用できて、居住域高さにおける温度差を低減するとともに、着座した観客が不快に感じることがないようにすることである。
【課題を解決するための手段】
【０００５】
本発明の空間の空調システムは、背もたれを有する座席が設置された空間の空調システムであって、前記座席の下方の床面に吹出口が設けられ、当該吹出口は、前記座席の後方側の部分から、略鉛直上方又は後方へ斜め上方に向かって空調空気を吹き出すとともに、  前記座席の前方側の部分から、後方へ斜め上方に向かって、前記座席の横方向に広がるように空調空気を吹出すように形成されていることを特徴とする。
【０００６】
上記の空調システムにおいて、前記吹出口は、前記座席の後方側の部分の少なくとも一部から、略鉛直上方又は後方へ斜め上方に向かって、前記座席の横方向に広がるように空調空気を吹出すように形成されていてもよい。
【０００７】
また、本発明の空調方法は、背もたれを有する座席が設置された空間の空調方法であって、前記座席の下方の床面に吹出口を設け、当該吹出口の前記座席の後方側の部分から、略鉛直上方又は後方へ斜め上方に向かって空調空気を吹き出すとともに、当該吹出口の前記座席の前方側の部分から、後方へ斜め上方に向かって、前記座席の横方向に広がるように空調空気を吹出すことを特徴とする。
【０００８】
また、本発明の吹出口部材は、背もたれを有する座席の下方の床面に設けられた空調空気の吹出口に取り付けられる吹出口部材であって、筒状に形成された枠体と、前記枠体内に前記座席の後方に向かって傾斜するように設けられた複数のルーバと、を備え、前記複数のルーバの間を通過する前記空調空気が前記背もたれの下部近傍に向かって吹き出すように形成されていることを特徴とする。
【０００９】
上記の吹出口部材において、前記吹出口は、前記背もたれの略下方の床面に設けられ、前記枠体内は、前記座席の前方側の部分に形成された開口からなる前方吹出口と、前記座席の後方側の部分に形成された後方吹出口とに分割され、前記複数のルーバは、前記前方吹出口内に後方に向かって斜め上方に傾斜するように設置された前方ルーバと、前記後方吹出口内に略鉛直方向又は後方に向かって斜め上方に傾斜するように設置された後方ルーバと、からなるものであってもよい。
【００１０】
また、前記前方の吹出口は、前記座席の横方向の略中心軸上に設けられた枠材により一対の吹出口に分割されており、前記前方のルーバは、前記一対の吹出口内に、後方に向かって斜め上方に傾斜するとともに、前記中心軸より離間する方向に傾斜するように夫々設けられていてもよい。
また、前記後方のルーバの間に、前記座席の横方向の略中心軸上から離間する方向に向かって斜め上方に傾斜するガイドベーンを備えてもよい。
【発明の効果】
【００１１】
本発明によれば、座席の下方の床面に設けられた吹出口から座席の背もたれの背面の下端近傍に向けて空調空気が吹出されるため、吹出された空調空気はコアンダ効果により座席の背もたれの背面に沿って上方に向かって上昇することとなる。これにより、座席に着座した観客の下肢付近では気流を生じないため、観客に不快感を与えることがなく、また、空調空気が背もたれの背面に沿って上昇するため、座席スペースが狭い場合であっても居住空間内の温度差を低減することができる。
【発明を実施するための最良の形態】
【００１２】
以下、図面を参照しながら本発明の実施の形態について説明する。
図１は、本実施形態の座席空調用床吹出口が段差のある床面に設けられた場合の空間を示す平面図、図２は、図１におけるＡ−Ａ線断面図である。すなわち、本実施の形態の座席空調用床吹出口１は、ホールや集会場等の大空間の空調に適用可能なものであって、ホールや集会場等の大空間の床面上に複数配置される複数の座席４５の各座席４５付近から空調空気（約２０〜６０ｍ３／ｈの空調空気）を吹き出す空調方式（以下、「座席空調」という。）に有効なものである。
【００１３】
本実施の形態においては、ホールや集会場等の大空間の前方に配置されるステージを基準として、階段状の床面４０上に、前後方向（図１における左右方向）に複数列に座席４５が配置され、かつ各列に横方向（図１における上下方向）に複数座席４５が配置される場合を対象としている。
【００１４】
図１及び図２に示すように、各座席４５は、床面４０に固定される脚部４６と、脚部４６によって略鉛直に支持される背面板４７と、背面板４７の前方の下端部に回動可能に設けられる座面４８とを備え、使用時には座席を水平状態に回動させ、非使用時には座面４８を背面板４７に沿う鉛直状態に回動させている。また、各座席４５は、その背面部と床面４０の蹴上との間に隙間が形成されるように配置されている。
【００１５】
本実施の形態の座席空調用床吹出口１は、各座席４５の座面４８（背面板４７）の横方向（図１における上下方向）の中心線上の床面４０の所定の位置に吹出孔４１を設け、この吹出孔４１に吹出口体２を取り付けることにより、構成されている。
なお、本実施の形態においては、後方席床４０の蹴上位置Ａから前方席の方向へ所定の寸法ａ離れた位置に吹出孔４１を設けている。
【００１６】
ここで、所定の寸法ａは、吹出孔４１の直径（吹出口体２の外径）に応じた値に設定され、例えば、吹出孔４１の直径（吹出口体２の外径）が１０ｃｍの場合には約２．５ｃｍ〜７．０ｃｍ程度、吹出孔４１の直径（吹出口体２の外径）が８ｃｍの場合には約１．５ｃｍ〜６．０ｃｍ程度、吹出孔４１の直径（吹出口体２の外径）が１６ｃｍの場合には約３．５ｃｍ〜８．５ｃｍ程度に設定される。
【００１７】
図３は、吹出口体２を示す図であり、（Ａ）は平面図、（Ｂ）はＢ−Ｂ断面図、（Ｃ）はＣ−Ｃ断面図、（Ｄ）はＤ−Ｄ断面図である。なお、図中左右方向が座席の前後方向にあたり、図中上下方向が座席の横方向にあたる。また、左方向が座席の前方、右方向が座席の後方にあたる。同図に示すように、吹出口体２は、中心線ａを中心として座席横方向に対称に構成され、円筒状の本体３ａ、及び本体３ａの一端に一体に設けられる環状のフランジ３ｂとからなる外枠３と、外枠３の本体３ａの内側に垂直方向に交差するように設けられ、４つの扇形状の空間（第１空間５、第２空間６、第３空間７、及び第４空間８）に仕切る一対の内枠４と、各空間（第１空間５、第２空間６、第３空間７、及び第４空間８）内にそれぞれ設けられる複数のルーバ１０〜１４、２０〜２４とを備え、複数のルーバ１０〜１４、２０〜２４により、第１空間５、第２空間６、第３空間７、及び第４空間８内にそれぞれ吹出開口１５〜１９、２５〜３０が形成されている。
【００１８】
なお、本実施の形態においては、第１空間５、第２空間６、第３空間７、及び第４空間８内に形成される吹出開口１５〜１９、２５〜３０の開口面積をそれぞれ、例えば２５％に設定している。
【００１９】
内枠４は、外枠３の本体３ａの中心線ａ上に設けられる板状の縦枠４ａと、縦枠４ａと直交する外枠３の本体３ａの中心線ｂ上に設けられる板状の横枠４ｂとから構成される略十字状をなすものであって、縦枠４ａと横枠４ｂと外枠３の本体３ａとによって囲まれる部分にそれぞれ扇形状の第１空間５、第２空間６、第３空間７、及び第４空間８が形成されている。
【００２０】
吹出口体２は、各座席４５の座面４８の下方の各吹出孔４１内に外枠３の本体３ａを挿入し、内枠４の縦枠４ａが各座席４５の前後方向（図１における左右方向）を向き、横枠４ｂが各座席４５の横方向（図１における上下方向方向）を向くように、各吹出孔４１内での外枠３の本体３ａの向きを調整し、各吹出孔４１に取り付けられる。
【００２１】
各吹出孔４１内に上記のような向きに吹出口体２を取り付けることにより、各座席４５の前後方向の後方側（後方席側）に第１空間５及び第２空間６が配置され、前方側（前方席側）に第３空間７及び第４空間８が配置される。
【００２２】
吹出口体２の第１空間５及び第２空間６内には、内枠４の横枠４ｂと平行をなすように（内枠４の縦枠４ａと直交するように）、複数の板状のルーバ１０〜１４が所定の間隔ごとに互いに平行をなすように一体に設けられ、これらの複数のルーバ１０〜１４によって第１空間５及び第２空間６内が鉛直方向を向く複数の吹出開口１５〜１８に仕切られている。
【００２３】
本実施の形態においては、第１空間５及び第２空間６内に第１ルーバ１０、第２ルーバ１１、第３ルーバ１２、第４ルーバ１３、及び、第５ルーバ１４の５つの板状のルーバを設け、第１ルーバ１０と外枠３の本体３ａとの間に第１吹出開口１５を形成し、第１ルーバ１０と第２ルーバ１１との間に第２吹出開口１６を形成し、第２ルーバ１１と第３ルーバ１２との間に第３吹出開口１７を形成し、第３ルーバ１２と第４ルーバ１３との間に第４吹出開口１８を形成し、第４ルーバ１３と第５ルーバ１４との間に第５吹出開口１９を形成している。なお、第５ルーバ１４は内枠４の横枠４ｂと兼用している。
【００２４】
第１ルーバ１０、第２ルーバ１１、及び第３ルーバ１２は、断面長方形状の板状をなすものであって、座席４５の前後方向の両面（前面及び後面）が鉛直方向に平行となるように、第１空間５及び第２空間６内にそれぞれ設けられている。また、第４ルーバ１３は、断面台形状の板状をなすものであって、座席４５の前方側の面が鉛直方向に対して所定の角度（約１０〜２０度）をなし、後方側の面が鉛直方向に対して平行をなすように、第１空間５及び第２空間６内にそれぞれ設けられている。さらに、第５ルーバ１４は、断面台形状の板状をなすものであって、座席４５の前方側の面が鉛直に、また、後方側の面が鉛直方向に対して所定の角度（約１０〜２０度）をなすように、第１空間５及び第２空間６内にそれぞれ設けられている。
【００２５】
このような形状の第１ルーバ１０、第２ルーバ１１、第３ルーバ１２、第４ルーバ１３、及び第５ルーバ１４を第１空間５及び第２空間６内に設けることにより、第１吹出開口１５、第２吹出開口１６、第３吹出開口１７、及び第４吹出開口１８は、座席４５の前後方向の両面が鉛直方向に平行な断面形状の吹出開口に形成され、第５吹出開口１９は、座席４５の前方側の面が鉛直方向に対して所定の角度（約１０〜２０度）をなす。
【００２６】
第２ルーバ１１と第３ルーバ１２との間の第３吹出開口１７、第３ルーバ１２と第４ルーバ１３との間の第４吹出開口１８内には、座席４５の横方向に所定の間隔ごとに板状の２つのガイドベーン（第１ガイドベーン３１及び第２ガイドベーン３２）が設けられ、この第１ガイドベーン３１及び第２ガイドベーン３２によって、第３吹出開口１７及び第４吹出開口１８内が座席４５の横方向に３つの小吹出開口１７ａ〜１７ｃ、１８ａ〜１８ｃに仕切られている。
【００２７】
第１ガイドベーン３１及び第２ガイドベーン３２は、座席４５の横方向の両面が鉛直方向に対して約３０〜６０度をなすように、第３吹出開口１７及び第４吹出開口１８にそれぞれ設けられている。これにより、第３吹出開口１７及び第４吹出開口１８内の外枠３の本体３ａと第１ガイドベーン３１との間に、座席４５の横方向の一方の面が鉛直方向に対して平行をなし、他方の面が鉛直方向に対して約３０〜６０度をなす断面台形状の小吹出開口１７ａ、１８ａが形成される。また、第１ガイドベーン３１と第２ガイドベーン３２との間に、座席４５の横方向の両面が鉛直方向に対して約３０〜６０度をなす断面形状の小吹出開口１７ｂ、１８ｂが形成される。さらに、第２ガイドベーン３２と内枠４の縦枠４ａとの間に、座席４５の横方向の一方の面が鉛直方向に対して約３０〜６０度をなし、他方の面が鉛直方向に平行な小吹出開口１７ｃ、１８ｃが形成される。
【００２８】
かかる構成により、座席４５の後部の直下近傍に位置する第１空間５及び第２空間６の第１〜第４吹出開口１５〜１８を通過した空調空気は上方に向かって吹出され、座席４５の下方に位置する第５吹出開口１９を通過した空調空気は背面板４７の下端に向かうように吹出され、これらが合わさり、座席４５の背面板４７の下端近傍に向かって流れることとなる。また、第３及び第４吹出開口１７、１８から吹出される空調空気は、座席横方向に広がるように吹出されるため、第１空間５及び第２空間６から吹出された空調空気の、座席横方向の流速のばらつきが抑えられる。
【００２９】
なお、本実施の形態においては、第２ルーバ１１と第３ルーバ１２との間の第３吹出開口１７、及び第３ルーバ１２と第４ルーバ１３との間の第４吹出開口１８内に、第１ガイドベーン３１及び第２ガイドベーン３２の２つのガイドベーンを設けているが、第３吹出開口１７及び第４吹出開口１８内に１つ又は３つ以上のガイドベーンを設けてよい。
また、第５吹出開口１９内にもガイドベーンを設けても良いが、第５ルーバ１４の座席後方側の面が鉛直方向に対して傾斜しており、第５吹出開口１９内の座席４５の前後方向の鉛直断面形状が複雑なため、本実施形態では設けていない。
【００３０】
また、第３空間７及び第４空間８内には、内枠４の縦枠４ａ（横枠４ｂ）に対して平面視で約４５度をなすように、複数の板状のルーバ２０〜２４が所定の間隔ごとに互いに平行をなすように一体に設けられ、これらのルーバ２０〜２４によって第３空間７及び第４空間８内が鉛直方向を向く複数の開口２５〜３０に仕切られている。
【００３１】
本実施の形態においては、第３空間７及び第４空間８内に第１ルーバ２０〜第５ルーバ２４の５つの板状のルーバを設け、内枠４の横枠４ｂと第１ルーバ２０の間に第１開口２５を形成し、第１ルーバ２０と第２ルーバ２１との間に第２開口２６を形成し、第２ルーバ２１と第３ルーバ２２との間に第３開口２７を形成し、第３ルーバ２２と第４ルーバ２３との間に第４開口２８を形成し、第４ルーバ２３と第５ルーバ２４との間に第５開口２９を形成し、第５ルーバ２４と外枠３の本体３ａとの間に第６開口３０を形成している。
【００３２】
第１ルーバ２０〜第５ルーバ２４は、断面長方形状の板状に形成され、座席４５の前後方向の両面（前面及び後面）が鉛直方向に対して約５０〜７０度をなすように、第３空間７及び第４空間８内にそれぞれ設けられている。
これにより、内枠４の横枠４ｂと第１ルーバ２０との間、第１ルーバ２０と第２ルーバ２１との間、第２ルーバ２１と第３ルーバ２２との間、第３ルーバ２２と第４ルーバ２３との間、及び第４ルーバ２３と第５ルーバ２４との間に、座席４５の前後方向の両面が鉛直方向に対して約５０〜７０度をなす第１開口２５、第２開口２６、第３開口２７、第４開口２８、及び第５開口２９が形成され、第５ルーバ２４と外枠３の本体３ａとの間に、座席４５の前方側の面が鉛直方向に対して平行をなし、後方側の面が鉛直方向に対して約５０〜７０度をなす第６開口３０が形成される。
【００３３】
かかる構成により、第３空間７及び第４空間８を通過した空調空気は、座席の背面板４７の後方に斜め上方に向かって吹出され、さらに、第１空間５及び第２空間６から吹出される空調空気に比べて、座席の横方向に、より広範囲に広がるように吹出されることとなる。
【００３４】
図４は、座席４５の近傍の吹出口１から吹出された空調空気の流れを示す図である。上記のように、吹出口体２の前方に位置する第３空間７及び第４空間８を通過した空調空気は、座席４５の後方に向かって、座席４５の横方向に広範囲に広がるように吹出され、また、吹出口体２の後方に位置する第１空間５及び第２空間６を通過した空調空気は、座席４５の背面板４７に向かって略鉛直上方に向かって吹出される。そして、図４に示すように、これら第１〜第４空間５〜８から吹出された空気は合わさって、座席４５の背面板４７を利用したコアンダ効果により、背面板４７の後方の約１０ｃｍ程度の空間に横方向に広がる空気域（図中灰色にて示す領域、以下、「椅子背面上昇空気域」と略す。）５０を、背面板４７に沿って流れることとなる。椅子背面上昇空気域５０に沿って上昇する気流により、空調空気は居住域高さ内の上方まで到達する。これにより、座席４５に着座した観客の下肢の近傍には気流が生じず、また、背面板４７に沿って空調空気が上方へ吹き上げられるため居住域高さでの温度差のばらつきが減少する。
【００３５】
ここで、本願発明者らは、本実施形態によれば、上記のように背面板４７に沿って椅子背面上昇空気域５０に上方に向かう空気域が形成され、また、椅子背面上昇空気域以外の部分では強い気流が生じないことを実験により確認したので以下説明する。
【００３６】
図５は、実験の様子を示す図である。本実験では、以下に詳述するように吹出口体２の形状、吹出口体２の位置（後方席床蹴上位置Ａからの距離ａ）、及び床面４０の形状（段差あり、段差なし）を変化させて、座席４５の背面板４７からの距離ｂ（１ｃｍ、２ｃｍ、４ｃｍ、７ｃｍ、１０ｃｍ、１３ｃｍ、１６ｃｍ、２０ｃｍ、３０ｃｍ）かつ、高さｃ（９５ｃｍ、６６ｃｍ、５０ｃｍ、３６ｃｍ、１６ｃｍ）の異なる測定点、及び座席４５の前方の着座した観客の下肢背面にあたる位置の測定点における気流の流速を測定するものとした。
【００３７】
＜条件１＞段差がない床面に吹出口を設け、吹出口体として、従来用いられていた吹出口体（φ２００ｍｍ）を用いた場合
図６は、段差がない床面に従来用いられていた吹出口体を用いた場合の各測定点における流速を示す表である。同図に示すように、座席４５の背面から１０ｃｍ以上離れた（ｂ≧１０ｃｍ）測定点では、流速が人が不快に感じる０．２５ｍ／ｓを超えていないものの、下肢背面にあたる位置の測定点では、流速が０．３６ｍ／ｓと、０．２５ｍ／ｓを超えており、座席に着座した観客が不快に感じる虞があることがわかる。
【００３８】
＜条件２−１＞段差がない床面において、背面板４７からの距離ａ＝３．２５ｃｍに本実施形態の吹出口を設け、吹出口体として、φ１００ｍｍ、第５吹出開口１９の吹出角度を鉛直方向から後方へ１２．５°傾けたものを用いた場合
なお、第３空間７及び第４空間８内に設けられたルーバ２０〜２４は、水平方向に座席後方方向から４５°、鉛直方向から座席後方方向へ３０°傾斜させている。
【００３９】
図７は、本条件における各測定点における流速を示す表である。同図に示すように、本条件では、背面板４７からの距離ｂが１０ｃｍの高さｃが６６ｃｍ、９５ｃｍの測定点における流速が夫々０．２９ｍ／ｓ、０．２８ｍ／ｓと、０．２５ｍ／ｓを超えているが、背面板４７からの距離ｂが１３ｃｍ以上のそれ以外の測定点では流速が０．２５ｍ／ｓ以下となっており、また、下肢背面にあたる位置の測定点では、０．０５ｍ／ｓと、０．２５ｍ／ｓを大きく下回っており、座席に着座した観客が不快に感じる可能性が低いことがわかる。また、背面板４７からの距離ｂが７ｃｍ未満の測定点では、流速が非常に高く、コアンダ効果により、背面板４７に沿って気流が生じていることがわかる。
【００４０】
＜条件２−２＞段差がない床面において、背面板４７からの距離ａ＝４．５ｃｍに本実施形態の吹出口を設け、吹出口体として、φ１００ｍｍ、第５吹出開口１９の吹出角度を鉛直方向から後方へ１２．５°傾けたものを用いた場合
なお、第３空間７及び第４空間８内に設けられたルーバ２０〜２４は、水平方向に座席後方方向から４５°、鉛直方向から座席後方方向へ３０°傾斜させている。
【００４１】
図８は、本条件における各測定点における流速を示す表である。同図に示すように、本条件では、背面板４７からの距離ｂが１０ｃｍの高さｃが９５ｃｍの測定点における流速が０．２８ｍ／ｓと、０．２５ｍ／ｓを超えているが、それ以外の背面板４７からの距離ｂが１０ｃｍ以上のそれ以外の測定点では流速が０．２５ｍ／ｓ以下となっており、また、下肢背面にあたる位置の測定点では、０．１８ｍ／ｓと、０．２５ｍ／ｓを下回っており、座席に着座した観客が不快に感じる可能性が低いことがわかる。また、条件２−１と同様に、背面板４７からの距離ｂが７ｃｍ未満の測定点では、流速が非常に高く、コアンダ効果により、背面板４７に沿って気流が生じていることがわかる。
【００４２】
＜条件３−１＞段差がない床面において、背面板４７からの距離ａ＝３．２５ｃｍの位置に本実施形態の吹出口を設け、吹出口体として、φ１００ｍｍ、第５吹出開口１９の吹出角度を鉛直方向から後方へ１５°傾けたものを用いた場合
なお、第３空間７及び第４空間８内に設けられたルーバ２０〜２４は、水平方向に座席後方方向から４５°、鉛直方向から座席後方方向へ３０°傾斜させている。
【００４３】
図９は、本条件における各測定点における流速を示す表である。同図に示すように、本条件では、背面板４７からの距離ｂが１０ｃｍの高さｃが６６ｃｍの測定点における流速が０．２７ｍ／ｓと、０．２５ｍ／ｓを超えているが、それ以外の背面板４７からの距離ｂが１０ｃｍ以上のそれ以外の測定点では流速が０．２５ｍ／ｓ以下となっており、また、下肢背面にあたる位置の測定点では、０．０６ｍ／ｓと、０．２５ｍ／ｓを大きく下回っており、座席に着座した観客が不快に感じる可能性が低いことがわかる。また、背面板４７からの距離ｂが７ｃｍ未満の測定点では、流速が非常に高く、コアンダ効果により、背面板４７に沿って気流が生じていることがわかる。
【００４４】
＜条件３−２＞段差がない床面において、背面板４７からの距離ａ＝４．０ｃｍの位置に本実施形態の吹出口を設け、吹出口体として、φ１００ｍｍ、第５吹出開口１９の吹出角度を鉛直方向から後方へ１５°傾けたものを用いた場合
なお、第３空間７及び第４空間８内に設けられたルーバ２０〜２４は、水平方向に座席後方方向から４５°、鉛直方向から座席後方方向へ３０°傾斜させている。
【００４５】
図１０は、本条件における各測定点における流速を示す表である。同図に示すように、本条件では、背面板４７からの距離ｂが１０ｃｍ以上のそれ以外の測定点では流速が０．２５ｍ／ｓ以下となっており、また、下肢背面にあたる位置の測定点では、０．１３ｍ／ｓと、０．２５ｍ／ｓを大きく下回っており、座席に着座した観客が不快に感じる可能性が低いことがわかる。また、背面板４７からの距離ｂが７ｃｍ未満の測定点では、流速が非常に高く、コアンダ効果により、背面板４７に沿って気流が生じていることがわかる。
【００４６】
＜条件４−１＞段差（３２ｃｍ）がある床面において、背面板４７からの距離ａ＝４．０ｃｍの位置に本実施形態の吹出口を設け、吹出口体として、φ１００ｍｍ、第５吹出開口１９の吹出角度を鉛直方向から後方へ１２．５°傾けたものを用いた場合
本条件では、さらに、座席背面から後方床蹴上Ａまでの距離を１ｃｍ、２ｃｍ、３ｃｍとした場合について、夫々、下肢背面にあたる位置の測定点における気流速度を測定した。
【００４７】
図１１は、座席背面から後方床蹴上Ａまでの距離を１ｃｍ、２ｃｍ、３ｃｍとした各場合における下肢背面にあたる位置の測定点における流速を示す表である。
同図に示すように、座席背面から後方床蹴上Ａまでの距離が１ｃｍの場合には、下肢背面にあたる位置の測定点における流速が０．２２ｍ／ｓと、０．２５ｍ／ｓに非常に近い値となっている。これに対して、２ｃｍ、３ｃｍの場合には、０．１１ｍ／ｓ、０．０４ｍ／ｓと０．２５ｍ／ｓを大きく下回っており、座席背面から後方床蹴上Ａまでの距離を２ｃｍ以上とするのが好ましいことがわかる。
【００４８】
＜条件４−２＞段差（３２ｃｍ）がある床面において、座席背面から後方床蹴上Ａまでの距離を２ｃｍとし、後方床蹴上Ａからの距離ａ＝５．０ｃｍの位置に、本実施形態の吹出口を設け、吹出口体としてφ１００ｍｍ、第５吹出開口１９の吹出角度を鉛直方向から後方へ１２．５°傾けたものを用いた場合
なお、第３空間７及び第４空間８内に設けられたルーバ２０〜２４は、水平方向に座席後方方向から４５°、鉛直方向から座席後方方向へ３０°傾斜させている。
【００４９】
図１２は、本条件における各測定点における流速を示す表である。同図に示すように、本条件では、背面板４７からの距離ｂが１０ｃｍ以上の測定点では流速が０．２５ｍ／ｓ以下となっており、また、下肢背面にあたる位置の測定点では、０．０９ｍ／ｓと、０．２５ｍ／ｓを大きく下回っており、座席に着座した観客が不快に感じる可能性が低いことがわかる。また、背面板４７からの距離ｂが７ｃｍ未満の測定点では、条件２−１〜２，３−１〜２に比べて若干低くなっているものの、流速が速く、背面板４７に沿って気流が生じていることがわかる。
【００５０】
＜条件４−３＞段差（３２ｃｍ）がある床面において、座席背面から後方床蹴上Ａまでの距離を３ｃｍとし、後方床蹴上Ａからの距離ａ＝５．０ｃｍの位置に、本実施形態の吹出口を設け、吹出口体としてφ１００ｍｍ、第５吹出開口１９の吹出角度を鉛直方向から後方へ１２．５°傾けたものを用いた場合
なお、第３空間７及び第４空間８内に設けられたルーバ２０〜２４は、水平方向に座席後方方向から４５°、鉛直方向から座席後方方向へ３０°傾斜させている。
【００５１】
図１３は、本条件における各測定点における流速を示す表である。同図に示すように、背面板４７からの距離ｂが１０ｃｍにおける高さｃが９５ｃｍの測定点における流速が０．２７ｍ／ｓと、０．２５ｍ／ｓを超えているが、それ以外の背面板４７からの距離ｂが１０ｃｍ以上のそれ以外の測定点では流速が０．２５ｍ／ｓ以下となっており、また、下肢背面にあたる位置の測定点では、０．０４ｍ／ｓと、０．２５ｍ／ｓを大きく下回っており、座席に着座した観客が不快に感じる可能性が低いことがわかる。また、背面板４７からの距離ｂが７ｃｍ未満の測定点では、条件２−１〜２，３−１〜２に比べて若干低くなっているものの、流速が速く、背面板４７に沿って気流が生じていることがわかる。
【００５２】
本実験により、従来の吹出口体では、座席に着座した観客の下肢近傍において、流速が０．２５ｍ／ｓを超える気流が生じるが、本実施形態の吹出口体を用いることで、観客の下肢近傍における気流を０．２５ｍ／ｓ以下に抑えることができ、また、コアンダ効果により座席の背面板４７に沿うような気流が生じることが確認された。さらに、床面が平面状であっても、床面に段差があっても、上記の効果が得られることが確認された。
【００５３】
以上説明したように、本実施形態によれば、座席４５の下方の床面に吹出口１を設け、この吹出口１から背面板４７に向かって空調空気を吹出すこととしため、吹出された空調空気は、コアンダ効果により椅子背面上昇空気域５０を背面板４７に沿って上昇することとなる。これにより、座席４５に着座した観客の下肢の近傍に気流が生じず、観客に不快感を与えることを防止できる。
【００５４】
また、コアンダ効果により上方に向かう気流が生じ、この気流により空調空気が上昇するため、居住域高さ内の温度差を低減することができる。
また、このようにコアンダ効果により上方に向かう気流を生じさせるには、座席４５の下方の床面に設けられた吹出口から背面板４７の下端に向けて空調空気を吹出せばよいので、床上の吹出口の配置の自由度が高まり、設計・施工における制約が小さくなる。
【００５５】
また、座席空調用床吹出口１の前方から吹出す空気を座席４５の横方向に広範囲に広がるように吹出すこととしたため、椅子背面上昇空気域５０の横方向の気流の速度のばらつきを抑えることができる。
また、本実施形態のように、吹出口の形状に制約がなく、円形にすることができるので、設計・施工コストを削減することができる。
【００５６】
なお、本実施形態では、円形状の吹出孔に吹出口体を設けた場合について説明したが、これに限らず、矩形状など円形以外の形状の吹出孔にも本発明を適用することができ、このような場合には、吹出口体を吹出孔の形状に合わせて形成すればよい。
さらに、本実施形態では、第１空間５及び第２空間６内に設けられた第１ルーバ１０〜第５ルーバ１４の断面台形状及び取付角度を調整することにより、第１空間５及び第２空間６から鉛直方向又は座席の後方に向かって空調空気を吹き出すように構成し、また、第３空間７及び第４空間８内に設けられた第１ルーバ２０〜第５ルーバ２４の取付角度を調整することにより、第３空間７及び第４空間８から座席の後方に向かって、座席の横方向に広がるように空調空気を吹き出すように構成したが、これに限らず、ルーバ先端近傍の開口断面を異型にするなど、その形状を調整することにより、上記のように空調空気を吹き出すように構成することも可能である。
【図面の簡単な説明】
【００５７】
【図１】本実施形態の座席空調用床吹出口が設けられた空間を示す平面図である。
【図２】図１におけるＡ−Ａ線断面図である。
【図３】吹出口体を示す図であり、（Ａ）は平面図、（Ｂ）はＢ−Ｂ断面図、（Ｃ）はＣ−Ｃ断面図、（Ｄ）はＤ−Ｄ断面図である。
【図４】吹出口から吹出された空調空気の流れを示す図である。
【図５】実験の様子を示す図である。
【図６】条件１における各測定点の流速を示す表である。
【図７】条件２−１における各測定点の流速を示す表である。
【図８】条件２−２における各測定点の流速を示す表である。
【図９】条件３−１における各測定点の流速を示す表である。
【図１０】条件３−２における各測定点の流速を示す表である。
【図１１】条件４−１における下肢背面にあたる位置の測定点の流速を示す表である。
【図１２】条件４−２における各測定点の流速を示す表である。
【図１３】条件４−３における各測定点の流速を示す表である。
【符号の説明】
【００５８】
１  座席空調用吹出口                    ２  吹出口体
３  外枠                                ３ａ  本体
３ｂ  フランジ                          ４  内枠
４ａ  縦枠                              ４ｂ  横枠
５  第１空間                            ６  第２空間
７  第３空間                            ８  第４空間
１０  第１ルーバ                        １１  第２ルーバ
１２  第３ルーバ                        １３  第４ルーバ
１４  第５ルーバ                        １５  第１吹出開口
１６  第２吹出開口                      １７  第３吹出開口
１７ａ、１７ｂ、１７ｃ  小吹出開口      １８  第４吹出開口
１９  第５吹出開口                      ２０  第１ルーバ
２１  第２ルーバ                        ２２  第３ルーバ
２３  第４ルーバ                        ２４  第５ルーバ
２５  第１開口                          ２６  第２開口
２７  第３開口                          ２８  第４開口
２９  第５開口                          ３０  第６開口
３１  第１のガイドベーン                ３２  第２のガイドベーン
４０  床面                              ４１  吹出孔
４５  座席                              ４６  脚部
４７  背面板                            ４８  座面
５０  椅子背面上昇空気域
【図１】
2010019526.tif 000003
【図２】
2010019526.tif 000004
【図３】
2010019526.tif 000005
【図５】
2010019526.tif 000006
【図６】
2010019526.tif 000007
【図７】
2010019526.tif 000008
【図８】
2010019526.tif 000009
【図９】
2010019526.tif 000010
【図１０】
2010019526.tif 000011
【図１１】
2010019526.tif 000012
【図１２】
2010019526.tif 000013
【図１３】
2010019526.tif 000014
【図４】
2010019526.tif 000015